(57)【要約】【課題】マッサージ器本体５をシートの背もたれ部１上の任意の位置に調整して設置でき、マッサージ器本体５がずり落ちてしまうことがないシート用マッサージ器を提供する。【解決手段】シート用マッサージ器は、着座者の背面を支持する背もたれ部１と、頭部を支持する前面２ａを持つヘッドレスト２と、取り付けステー３とを有するシートに装着される。ヘッドレストカバー４は、ヘッドレスト２の周囲に巻き付けられ、ヘッドレスト２の表面に延在する第１係合部４ａ、４ｂが設けられている。マッサージ器本体５は、背もたれ部１に設けられ着座者の背中をマッサージする。このマッサージ器本体５にカバー状連結部６の一端側が結合され、カバー状連結部６の他端側に、ヘッドレストカバー４の第１係合部４ａ、４ｂに位置を変えて着脱自在に結合される第２係合部６ａ、６ｂを備える。【選択図】図１
2016002131.tif 000002
【特許請求の範囲】
【請求項１】
着座者の背面を支持するシートの背もたれ部（１）と、前記背もたれ部（１）の上部に取り付けられ前記着座者の頭部を支持する前面（２ａ）を持つヘッドレスト（２）と、前記背もたれ部（１）と前記ヘッドレスト（２）とを連結する取り付けステー（３）と、を備えるシートに取り付けられるシート用マッサージ器であって、
前記ヘッドレスト（２）の周囲に巻き付けられて前記ヘッドレスト（２）に取り付けられ、前記ヘッドレスト（２）の前記前面を含む表面を覆う第１係合部（４ａ、４ｂ）が設けられたヘッドレストカバー（４）と、
前記背もたれ部（１）に設けられ前記着座者の背中をマッサージするマッサージ器本体（５）と、
前記マッサージ器本体（５）に一端側が結合され、他端側が前記ヘッドレストカバー（４）の前記第１係合部（４ａ、４ｂ）に着脱自在に結合される第２係合部（６ａ、６ｂ）を持ち、前記背もたれ部（１）の表面の一部を覆うカバー状連結部（６）と、
を備えることを特徴とするシート用マッサージ器。
【請求項２】
前記シートは車両用シートであり、
前記ヘッドレストカバー（４）は、前記ヘッドレスト（２）の前記前面（２ａ）と、前記前面（２ａ）の上部に位置する上面（２ｂ）と、前記前面（２ａ）に対向する後面（２ｃ）とにわたって延在しており、前記カバー状連結部（６）の前記他端側が前記ヘッドレストカバー（４）の前記第１係合部（４ａ、４ｂ）に着脱自在に結合される位置が、少なくとも前記前面（２ａ）であることを特徴とする請求項１に記載のシート用マッサージ器。
【請求項３】
前記シートは車両用シートであり、
前記ヘッドレストカバー（４）は、前記ヘッドレスト（２）の前記前面（２ａ）と、前記前面（２ａ）の上部に位置する上面（２ｂ）と、前記前面（２ａ）に対向する後面（２ｃ）とにわたって延在しており、前記カバー状連結部（６）の前記他端側が前記ヘッドレストカバー（４）の前記第１係合部（４ａ、４ｂ）に着脱自在に結合される位置が、少なくとも前記前面（２ａ）と前記上面（２ｂ）であることを特徴とする請求項１または２に記載のシート用マッサージ器。
【請求項４】
前記シートは車両用シートであり、
前記ヘッドレストカバー（４）は、前記ヘッドレスト（２）の前記前面（２ａ）と、前記前面（２ａ）の上部に位置する上面（２ｂ）と、前記前面（２ａ）に対向する後面（２ｃ）とにわたって延在しており、前記カバー状連結部（６）の前記他端側が前記ヘッドレストカバー（４）の前記第１係合部（４ａ、４ｂ）に着脱自在に結合される位置が、少なくとも前記前面（２ａ）と前記上面（２ｂ）と前記後面（２ｃ）とであることを特徴とする請求項１から３のいずれか一項に記載のシート用マッサージ器。
【請求項５】
前記着脱自在に結合される位置が、前記ヘッドレスト（２）の前記前面（２ａ）から前記ヘッドレスト（２）の上面（２ｂ）を経由して後面（２ｃ）まで線状に複数延在していることを特徴とする請求項１から４のいずれか一項に記載のシート用マッサージ器。
【請求項６】
前記ヘッドレストカバー（４）は、前記取り付けステー（３）が収納される孔（４ｃ、４ｄ）又は溝（４ｃ１、４ｄ１）を有し、前記孔（４ｃ、４ｄ）に通すか、または、前記溝（４ｃ１、４ｄ１）に嵌って前記取り付けステー（３）が設置されていることを特徴とする請求項１から５のいずれか一項に記載のシート用マッサージ器。
【請求項７】
前記ヘッドレスト（２）の前記第１係合部（４ａ、４ｂ）及び、前記カバー状連結部（６）の前記第２係合部（６ａ、６ｂ）は、表面に無数の鉤状またはループ状の係合用突起を有するテープであることを特徴とする請求項１から６のいずれか一項に記載のシート用マッサージ器。
【請求項８】
前記第１係合部（４ａ、４ｂ）及び前記第２係合部（６ａ、６ｂ）は、前記第１係合部（４ａ、４ｂ）及び前記第２係合部（６ａ、６ｂ）の少なくともいずれか一方にボタンを有することを特徴とする請求項１から７のいずれか一項に記載のシート用マッサージ器。
【請求項９】
前記カバー状連結部（６）は、前記マッサージ器本体（５）を収納する袋状であることを特徴とする請求項１から８のいずれか一項に記載のシート用マッサージ器。
【請求項１０】
前記カバー状連結部（６）は、前記マッサージ器本体（５）を収納及び取り出す開口部（１４）を有することを特徴とする請求項９に記載のシート用マッサージ器。
【請求項１１】
前記第１係合部（４ａ、４ｂ）は、線状に形成され複数が平行に延在して設けられていることを特徴とする請求項１から１０のいずれか一項に記載のシート用マッサージ器。
【請求項１２】
更に前記カバー状連結部（６）は、前記ヘッドレスト（２）側の上側カバー状連結部（６２）と、前記マッサージ器本体（５）側の下側カバー状連結部（６１）とを有し、
前記上側カバー状連結部（６２）又は前記下側カバー状連結部（６１）を巻き取るローラ部（２０）と、このローラ部が回転可能に支持された連結具とを前記上側カバー状連結部（６２）と前記下側カバー状連結部（６１）との間に備え、
前記ローラ部（２０）から引き出された前記下側カバー状連結部（６１）又は前記上側カバー状連結部（６２）のそれ以上の引出しを拘束する係止機構（２２）が、前記ローラ部（２０）と前記連結具との間に設けられていることを特徴とする請求項１から１１のいずれか一項に記載のシート用マッサージ器。
【請求項１３】
シートの背もたれ部（１）に備えて着座者の背中をマッサージするマッサージ器本体（５）に用いられるシート用マッサージ器のカバーであって、
前記シートにおける前記着座者の頭部に設けられた第１係合部（４ａ、４ｂ）を備え、かつ、前記マッサージ器本体（５）に一端側が結合され、他端側が前記第１係合部（４ａ、４ｂ）と位置を変えて着脱自在に連結される第２係合部（６ａ、６ｂ）を持つカバー状連結部（６）を備えることを特徴とするシート用マッサージ器のカバー。
【請求項１４】
前記シートには、前記背もたれ部（１）の上部に取り付けられ前記着座者の頭部を支持する前面（２ａ）を持つヘッドレスト（２）を有し、
前記カバー状連結部（６）に加えて、更に、前記ヘッドレスト（２）に巻き付けて取り付けられるヘッドレストカバー（４）を備え、
前記第１係合部（４ａ、４ｂ）は、前記ヘッドレスト（２）の前記前面（２ａ）を含む表面を覆うように前記ヘッドレストカバー（４）に設けられていることを特徴とする請求項１３に記載のシート用マッサージ器のカバー。
【発明の詳細な説明】
【技術分野】
【０００１】
本発明は、シート上に設置して使用されるシート用マッサージ器及びシート用マッサージ器のカバーに関するものである。
【背景技術】
【０００２】
従来、特許文献１に記載のマッサージ器がある。このマッサージ器は、車両のシートの背もたれ部、いすの背もたれなどに取付けて、背中をマッサージすることができるエアーマッサージ器に関する。この装置は、背もたれ部に設置可能な本体と、この本体に保持されたエアーバッグと、このエアーバッグに空気を給排気する給排気機構とを有している。給排気機構は、圧縮空気を生成する空気源装置と、この空気源装置を駆動するモータと、空気源装置からの空気をエアーバッグに供給する管部材と、少なくとも排気を制御する弁部材とを備えている。
【０００３】
また、特許文献２のクッション型のマッサージ器がある。この装置は、モータを内蔵したハウジングと、ハウジングの上面にモータによって回転可能に設けた回転台と、回転台の上面に複数のローラから成る揉み玉を取り付けた装置である。
【先行技術文献】
【特許文献】
【０００４】
【特許文献１】特開２００１−２５２３１６号公報
【特許文献２】特開２０１３−１２８５６６号公報
【発明の概要】
【発明が解決しようとする課題】
【０００５】
上記特許文献１の技術によると、本体に上下の２箇所で移動可能に支持されたベルトを設け、このベルトにマッサージ器本体を取付ける。本体がエアーバッグの前面を覆うカバー部材を備えている場合は、このカバー部材を上下の２箇所で貫通するベルト部材を設け、これによりエアーバッグを保持する。このような構造であれば、ユーザはベルト部材をもって、エアーバッグの位置（高さ）を調整することができる。
【０００６】
しかし、マッサージする部分の高さを調整しても、その後にマッサージする部分がずり落ちてしまうことが懸念される。
【０００７】
上記特許文献２のマッサージ器を使用すれば、図１３のようにシガーライタからの車両電源で駆動できるクッション型のマッサージ器を構成できる。そして、図１４のようにシートと背中の間に挟んで使用することができ、家庭用シートでも使用できる。しかし、シートに対して固定されないので位置がずれてしまう。
【０００８】
本発明は、上記問題点に鑑み、マッサージ器本体をシートの背もたれ部の任意の位置に高さを調整して設置でき、マッサージ器本体がずり落ちてしまうことがないシート用マッサージ器及びシート用マッサージ器のカバーを提供することを目的とする。
【０００９】
従来技術として列挙された特許文献の記載内容は、この明細書に記載された技術的要素の説明として、参照によって導入ないし援用することができる。
【課題を解決するための手段】
【００１０】
本発明は上記目的を達成するために、下記の技術的手段を採用する。すなわち、本発明では、シートに取り付けられるシート用マッサージ器を提供する。シートは、着座者の背面を支持する背もたれ部（１）と、背もたれ部（１）の上部に取り付けられ着座者の頭部を支持する前面（２ａ）を持つヘッドレスト（２）と、背もたれ部（１）とヘッドレスト（２）とを連結する取り付けステー（３）とを備える。
【００１１】
シート用マッサージ器は、ヘッドレストカバー（４）と、マッサージ器本体（５）と、カバー状連結部（６）とを備える。ヘッドレストカバー（４）は、ヘッドレスト（２）の周囲に巻き付けられてヘッドレスト（２）に取り付けられる。ヘッドレストカバー（４）は、ヘッドレスト（２）の前面を含む表面を覆う第１係合部（４ａ、４ｂ）を有する。
【００１２】
マッサージ器本体（５）は、背もたれ部（１）に設けられ着座者の背中をマッサージする。
【００１３】
カバー状連結部（６）は、マッサージ器本体（５）に一端側が結合され、他端側がヘッドレストカバー（４）の第１係合部（４ａ、４ｂ）に位置を変えて着脱自在に結合される第２係合部（６ａ、６ｂ）を持ち、背もたれ部（１）の表面の一部を覆う。
【００１４】
この発明によれば、ヘッドレストに取り付けられたヘッドレストカバーの第１係合部に、着脱自在に結合されるカバー状連結部を備える。カバー状連結部は、マッサージ器本体に一端側が結合され、他端側がヘッドレストカバーの第１係合部に着脱自在に結合される第２係合部を持つ。従って、カバー状連結部の他端側と第１係合部との結合位置を変えることにより、マッサージ器本体の背もたれ部上の高さ位置を調整でき、かつ調整した後の位置を係合力で保持することができる。
【００１５】
なお、特許請求の範囲及び上記各手段に記載の括弧内の符号ないし説明は、後述する実施形態に記載の具体的手段との対応関係を分かり易く示す一例であり、発明の内容を限定するものではない。
【図面の簡単な説明】
【００１６】
【図１】本発明の第１実施形態におけるシート用マッサージ器をシートに取り付けた状態をシートの側面から見た一部断面図である。
【図２】第１実施形態におけるヘッドレストにヘッドレストカバーを装着した状態を説明する斜視図である。
【図３】第１実施形態におけるマッサージ器本体とカバー状連結部とを示す斜視図である。
【図４】第１実施形態におけるヘッドレストにヘッドレストカバーを装着する状態を説明する斜視図である。
【図５】第１実施形態の変形例におけるヘッドレストカバーの斜視図である。
【図６】第１比較例を示す斜視図である。
【図７】第２比較例を示す斜視図である。
【図８】第２実施形態におけるヘッドレストカバーの斜視図である。
【図９】第２実施形態におけるマッサージ器本体とカバー状連結部とを示す斜視図である。
【図１０】第３実施形態におけるマッサージ器本体とカバー状連結部とを示す側面図である。
【図１１】第４実施形態におけるマッサージ器本体とカバー状連結部とを示す斜視図である。
【図１２】第４実施形態におけるローラ部の係止機構を示す説明図である。
【図１３】従来のマッサージ器の正面図である。
【図１４】従来のマッサージ器の使用状態を示す斜視図である。
【発明を実施するための形態】
【００１７】
以下に、図面を参照しながら本発明を実施するための複数の形態を説明する。各形態において先行する形態で説明した事項に対応する部分には同一の参照符号を付して重複する説明を省略する場合がある。各形態において構成の一部を説明している場合は、構成の他の部分については先行して説明した他の形態を適用することができる。
【００１８】
各実施形態で具体的に組合せが可能であることを明示している部分同士の組合せばかりではなく、特に組合せに支障が生じなければ、明示していなくても実施形態同士を部分的に組合せることも可能である。
【００１９】
（第１実施形態）
以下、本発明の第１実施形態について図１ないし図４を用いて詳細に説明する。まず、図１を用いて第１実施形態におけるシート用マッサージ器を説明する。車両内の車両用シートは、着座する着座者の背面を支持するシートの背もたれ部１と、背もたれ部１の上部に取り付けられ着座者の頭部を支持する前面２ａを持つヘッドレスト２とを備える。
【００２０】
更にシートは、背もたれ部１とヘッドレスト２とを連結する取り付けステー３を備える。取り付けステー３は、背もたれ部１にヘッドレスト２を取り付ける金属製の２本の棒を有する。シート用マッサージ器は、ヘッドレスト２の周囲に巻き付けられてヘッドレスト２に取り付けられる布製のヘッドレストカバー４を有する。
【００２１】
ヘッドレストカバー４に連結されたカバー状連結部６の図１下方の一端側には、マッサージ器本体５が結合されている。カバー状連結部６の図１上方の他端側には第２係合部６ａ、６ｂが設けられ、第２係合部６ａ、６ｂはヘッドレストカバー４の第１係合部４ａ、４ｂに位置を変えて着脱自在に結合される。
【００２２】
このヘッドレストカバー４には、図２のように、ヘッドレスト２の表面に沿って延在する線状の第１係合部４ａ、４ｂが設けられている。この線状の第１係合部４ａ、４ｂは、表面に無数の鉤状またはループ状の係合用突起を有するテープであるマジックテープ（登録商標）から構成されている。
【００２３】
図１のように、シート用マッサージ器は、背もたれ部１に設けられ着座者の背中をマッサージするマッサージ器本体５を備える。図３のように、このマッサージ器本体５の上部に一端側が結合され、他端側がヘッドレストカバー４の第１係合部４ａ、４ｂに位置を変えて着脱自在に結合されるマジックテープからなる第２係合部６ａ、６ｂを備える。シートの背もたれ部１の表面の一部を覆い第２係合部６ａ、６ｂを備えるカバー状連結部６をシート用マッサージ器が備える。マジックテープのヘッドレスト２の表面に沿う長さを設定することにより、第１係合部４ａ、４ｂに位置を変えて第２係合部６ａ、６ｂを容易に着脱自在に結合させることができる。
【００２４】
ヘッドレストカバー４をヘッドレスト２にとりつけるには、ヘッドレスト２と取り付けステー３とを背もたれ部１から抜いた状態から、図４のように、ヘッドレストカバー４の２つの貫通孔４ｃ、４ｄ内にそれぞれ取り付けステー３を通す。この状態で、ヘッドレスト２を矢印Ｙ４のようにヘッドレストカバー４で包み込む。ヘッドレストカバー４の表裏両面にはマジックテープ（登録商標）から構成された線状の第１係合部４ａ、４ｂが設けられている。よって図２のように、ヘッドレスト２の上方２ｂにおいてヘッドレストカバー４の端面同士が重ねあわされ、表面側の第１係合部４ａ、４ｂと裏面側に位置する第１係合部４ａ、４ｂ同士が接合される。図２のように、できるだけヘッドレスト２の周りにヘッドレストカバー４をきつく巻き付け、ヘッドレスト２の周りにヘッドレストカバー４が密着することが望ましい。
【００２５】
線状の第１係合部４ａ、４ｂは、ヘッドレストの前面２ａ側と上面２ｂ側と後面２ｃ側との三面にわたって延在している。前面２ａの後方に後面２ｃが対向している。図１のカバー状連結部６の上方他端側がヘッドレストカバー４の第１係合部４ａ、４ｂに着脱自在に結合される位置が、少なくとも前面２ａから始まるようにカバー状連結部６とヘッドレストカバー４とが結合される。線状の第１係合部４ａ、４ｂは、互いに平行に延在して設けられている。第１実施形態では、線状の第１係合部４ａ、４ｂを構成する２本のマジックテープが平行に延在している。
【００２６】
なお、着脱自在に結合される位置が、ヘッドレストの前面２ａ側からヘッドレストの上面２ｂを経由してヘッドレストの後面２ｃ側まで線状に複数存在しているから、いずれかの部分において確実に結合することができる。
【００２７】
図１のように、マッサージ器本体５は、本体生地５ａで覆われており、マッサージ器本体５内部のモータで揉み玉５ｂが取り付けられた円盤が内部のモータ駆動部により減速されて回転する。本体生地５ａは、カバー状連結部６に結合部７で縫い合わされて結合されている。このような揉み玉５ｂとモータ駆動部とを使用した機構は、モータを内蔵したハウジングと、ハウジングの上面にモータによって回転可能に設けた回転台と、回転台の上面に複数のローラから成る揉み玉を取り付けた上記特許文献２に開示された構成を採用できる。
【００２８】
また、揉み玉５ｂとモータ駆動部とは硬質の樹脂部材の容器５ｃ中に設けられているが、揉み玉５ｂを除いて、発泡ウレタン樹脂から構成された皮状の弾性部材５ｄで包囲されている。その皮状の弾性部材５ｄの周囲を本体生地５ａがとり囲んでいる。なお、結合部７は、縫合により結合したが、マジックテープによって脱着自在としてもよい。
【００２９】
カバー状連結部６の裏面には、図３のように平行に延在する第２係合部６ａ、６ｂを形成するマジックテープが設けられており、この第２係合部６ａ、６ｂをヘッドレストカバー４の第１係合部４ａ、４ｂに結合することができる。そして、着脱自在に結合される位置が、ヘッドレスト２の前面２ａからヘッドレスト２の上面２ｂを経由して後面２ｃまで線状に複数延在している。
（第１実施形態の変形例）
第１実施形態では、図４のように、ヘッドレストカバー４は、取り付けステー３が通される複数の貫通孔４ｃ、４ｄを有し、取り付けステー３に係合している。この変形例として、図５のように、貫通孔４ｃ、４ｄ相当部をＵ字状の複数の溝４ｃ１、４ｄ１から構成してもよい。そして溝４ｃ１、４ｄ１に取り付けステー３が嵌ってヘッドレストカバー４がヘッドレスト２に取り付けられる。
【００３０】
（比較例）
図６は第１実施形態に対する第１比較例を示している。この第１比較例は、マッサージ器本体５を金属製の取り付け用金具１０でシートにとりつけるものである。パイプ状の取り付け用金具１０はパイプを二重にした部分を有することで伸縮でき、シートの背もたれ部に対するマッサージ器本体の高さ調整が可能である。しかし、金属部を使用することで、車両の衝撃を受けたときに外れると安全性を欠く場合が考えられる。この点、第１実施形態は取り付け用のヘッドレストカバー４とカバー状連結部６とを、布地で形成でき、不要なときは取り外して元のヘッドレスト２及びシートの背もたれ部１の形態を復元することができる。
【００３１】
図７は第１実施形態に対する第２比較例を示す。この第２比較例は、マッサージ器本体５を布地の表裏にマジックテープをとりつけた抱え込み部１１ａ、１１ｂでシートの背もたれ部１全体を抱え込んでいる。更に、マッサージ器本体５の上部から延び裏面にマジックテープを設けたカバー状連結部６でヘッドレスト２を覆い、かつ抱え込み部１１ａ、１１ｂのマジックテープにカバー状連結部６の裏面側のマジックテープを結合させるものである。この第２比較例ではマジックテープや布地の長さがかなり長くなってしまう。
【００３２】
（第１実施形態の作用効果）
第１実施形態によれば、ヘッドレスト２に取り付けられ、表面に第１係合部４ａ、４ｂが設けられたヘッドレストカバー４の第１係合部４ａ、４ｂに、着脱自在に結合されるカバー状連結部６を備える。カバー状連結部６は、マッサージ器本体５に一端側が結合され、他端側がヘッドレストカバー４の第１係合部４ａ、４ｂに着脱自在に結合される第２係合部６ａ、６ｂを持つ。従って、カバー状連結部６の他端と第１係合部４ａ、４ｂとの結合位置を変えることにより、マッサージ器本体５の背もたれ部１上の高さ位置を調整でき、かつ調整した後の位置を係合力で保持することができる。なお、従来の図１３のようなマッサージ器では図１４のように背面に装着しても、支持がなされていないため、ずり落ちてしまう。
【００３３】
また、第１実施形態によれば、カバー状連結部６の他端側がヘッドレストカバー４の第１係合部４ａ、４ｂに着脱自在に結合される位置が、少なくともヘッドレスト２の前面２ａである。よって、車両からの衝撃をマッサージ器本体５が受けても、ヘッドレスト２の前面２ａを支点としてマッサージ器本体５が跳ね上げられるため、マッサージ器本体５や乗員が受ける衝撃を少なくできる。カバー状連結部６の他端側がヘッドレストカバー４の第１係合部４ａ、４ｂに着脱自在に結合される位置が、ヘッドレスト２の上面２ｂや後面２ｃであってもよい。
【００３４】
更に第１実施形態によれば、着脱自在に結合される位置が、ヘッドレスト２の前面２ａから上面２ｂを経由して後面２ｃ側まで線状に複数存在しているから、確実にヘッドレストカバー４とカバー状連結部６とを結合することができる。また、万一、結合部が一部外れたとしても、マッサージ器本体５が跳ね上げられるエネルギーを減少させることができる。
【００３５】
次に、この実施形態によれば、取り付けステーが複数の貫通孔４ｄ、４ｃを貫通して係合しているので、ヘッドレストカバー４の位置ずれを取り付けステー３により防止することができる。
【００３６】
また、この実施形態によれば、マジックテープを使用することにより着脱が容易である。
【００３７】
更に、本体生地５ａは、マッサージ器本体５を包み込むから、マッサージ器本体５が直接使用者の背中に当接することによる違和感を軽減できる。
【００３８】
次に、この実施形態によれば、複数の平行に延在する線状の第１係合部４ａ、４ｂによってヘッドレストカバー４とカバー状連結部６とを結合してマッサージ器本体５の高さ調節をすることができる。また、平行に延在する線状の第１係合部４ａ、４ｂにおけるヘッドレストカバー４とカバー状連結部６との結合部を互いにずらせてマッサージ器本体５を意図的にシートの背もたれ部１に対して傾けて取り付けることもできる。
【００３９】
また、上記第１実施形態は、シートの背もたれ部１に備えて着座者の背中をマッサージするマッサージ器本体５に用いられるシート用マッサージ器のカバーを備える。このカバーは、シートにおける着座者の頭部に設けられた第１係合部４ａ、４ｂを備える。また、マッサージ器本体５に一端側が結合され、他端側が第１係合部４ａ、４ｂと位置を変えて着脱自在に連結される第２係合部６ａ、６ｂを持つカバー状連結部６を備える。
【００４０】
これによればカバー状連結部６は、シートにおける着座者の頭部に設けられた第１係合部４ａ、４ｂに対し、位置を変えて着脱自在に連結されるから、シートの任意の高さにマッサージ器本体５を位置させることができる。
【００４１】
また、シートには、背もたれ部１の上部に取り付けられ着座者の頭部を支持する前面２ａを持つヘッドレストを有する。そしてシート用マッサージ器のカバーは、カバー状連結部６に加えて、更に、ヘッドレスト２の周囲に巻き付けられて取り付けられるヘッドレストカバー４を備える。また第１係合部４ａ、４ｂは、ヘッドレスト２の前面２ａを含む表面を覆うようにヘッドレストカバー４に設けられている。
【００４２】
これによればヘッドレスト２を含むシートを、マッサージ器本体を取り付けない元の状態に復旧したいときは、ヘッドレスト２に巻き付けられたヘッドレストカバー４を簡単に取り外すことができ容易に元の状態に復旧できる。
【００４３】
（第２実施形態）
次に、本発明の第２実施形態について説明する。なお、以降の各実施形態においては、上記した第１実施形態と同一の構成要素には同一の符号を付して説明を省略し、異なる構成について説明する。なお、第２実施形態以下については、第１実施形態と同じ符号は、同一の構成を示すものであって、先行する説明が援用される。図８はシート用マッサージ器の第２実施形態におけるヘッドレストカバーの斜視図である。
【００４４】
第１実施形態では線状の第１係合部４ａ、４ｂが、マッジクテープで結合されたが、この図８に示す第２実施形態における線状の第１係合部４ａ、４ｂは、ボタンとボタン孔の結合で構成されている。図８のように、ヘッドレストカバー４には固定用ボタン１２とこの固定用ボタン１２が嵌められるボタン用切込みからなるボタン孔１３が設けられている。なお、ボタンとして金属製の凹凸部がスナップアクションで結合されるスナップボタンを使用すればボタン孔は不要である。
【００４５】
更に、図９のようにカバー状連結部６には、ヘッドレストカバー４の固定用ボタンが嵌められる第２係合部６ａ、６ｂを成すボタン孔が２列平行に延在して設置されている。
【００４６】
これによれば、ボタンによる複数個所の結合を可能とすることにより位置を変えての着脱が容易で、安価である。
【００４７】
（第３実施形態）
次に、本発明の第３実施形態について説明する。上記した実施形態と異なる部分を説明する。図１０は、本発明の第３実施形態を示す側面図である。図１０において、カバー状連結部６は、下部が袋状に構成され、マッサージ器本体５を包み込むように構成されている。袋状に構成されたカバー状連結部６の側部には開口部１４が設けてあり、ファスナーで開閉可能である。この開口部１４からクッション状のマッサージ器本体５を挿入して使用することができる。なおマッサージ器本体５から導出されたコードは車両のシガーライタに専用コネクタを介して接続される。
【００４８】
この構成では、カバー状連結部６は、マッサージ器本体５を包み込むから、マッサージ器本体５が直接使用者の背中に当接することによる違和感を軽減できる。
【００４９】
また、袋状のカバー状連結部６の開口部１４からマッサージ器本体５を収納および取り外しすることができる。よって、マッサージ器本体５が故障した場合の交換またはカバー状連結部の洗濯等が容易である。
【００５０】
（第４実施形態）
次に、本発明の第４実施形態について説明する。上記した実施形態と異なる部分を説明する。図１１は、本発明の第４実施形態にかかわるシート用マッサージ器の斜視図である。図１１において、カバー状連結部６は、ヘッドレスト側の上側カバー状連結部６２と、マッサージ器本体側の下側カバー状連結部６１とを有している。
【００５１】
下側カバー状連結部６１を巻き取るローラ部２０が設けられている。ローラ部２０は、上側カバー状連結部６２に結合されたリング状金具からなる連結具２１に回転可能に連結されている。
【００５２】
ローラ部２０から引き出された下側カバー状連結部６１のそれ以上の引出しを拘束する係止機構がローラ部２０と連結具２１側との間に設けられている。ローラ部２０の貫通孔に、連結具２１を図１２のように貫通させることができる。ヘッドレストカバー４にマッジクテープで結合される上側カバー状連結部６２は、連結具２１に巻き付けられて固定されている。
【００５３】
図１２のように、連結具２１とローラ部２０の間にくさび状のレバーから成る係止機構２２を挿入して連結具２１に対するローラ部２０の回転を阻止することで係止機構が構成されている。なお、この係止機構は、ラチェット機構または歯車と回転止めピン等の任意の機構を使用してもよい。また係止機構２２は、楔として打ち込まれないときに脱落しないように連結具２１に紐やリング部材で支持されるようにしてもよい。
【００５４】
この構成によれば、ローラ部２０から引き出された下側カバー状連結部６１の長さが調度良い長さに調整できる。そして、調度良い長さになったのちに、ローラ部２０が連結具２１に対して回転しないようにして、マッサージ器本体５の位置を最適な位置に調整後、その位置を維持することができる。
【００５５】
図１２は、Ｕ字状金具とローラ部の間にくさび状のレバーから成る係止機構２２を挿入して連結具２１に対するローラ部２０の回転を阻止した状態を説明している。一端がＬ字状に折れ曲がった楔状の係止機構２２がローラ部２０の貫通孔内に挿入され、連結具２１に対するローラ部２０の回転が阻止される。なお、ローラ部２０の孔の内周に係止機構２２が係合する凹凸部を形成してもよい。
【００５６】
また、最適な位置に調整後、楔状の係止機構２２を引き抜く図１２の右方向にスライドして、ローラ部２０を少し回転させてカバー状連結部６のローラ部２０からの引出し又はローラ部２０への巻き取りを行ってもよい。こうすれば、マッサージ器本体５の位置を最適な位置に再調整することができる。楔状の係止機構２２はローラ部２０から引き出された下側カバー状連結部６１のそれ以上の引出を拘束する。この係止機構２２は、ローラ部２０と矩形リング状の連結具２１との間に設けられている。
【００５７】
この実施形態によれば、ローラ部２０から引き出されたカバー状連結部６の長さが調度良い長さになった後にローラ部２０が回転しないようにして、マッサージ器本体５の位置を最適な位置に固定できる。また、その位置を保持することができる。更に、最適な位置に調整後においても、ローラ部２０を回転させることができる。よって、カバー状連結部６の引出し、又は、ローラ部２０への巻き取りを行って、マッサージ器本体５の位置を最適な位置に再調整することが容易にできる。
【００５８】
なお、図１１においては下側カバー状連結部６１をローラ部２０に巻き取り、上側カバー状連結部６２に連結具２１をとりつけたが、反対に、上側カバー状連結部６２をローラ部２０に巻き取り、下側カバー状連結部６１に連結具２１をとりつけても良い。
【００５９】
（他の実施形態）
上記の実施形態では、本発明の好ましい実施形態について説明したが、本発明は上記した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、更に、特許請求の範囲の記載と均等の意味及び範囲内での全ての変更を含むものである。
【００６０】
上記実施形態においては、モータで揉み玉を回転させる機構をマッサージ器本体に採用した。しかし、これに限らず、特許文献１のように、空気で背中の後ろの袋が膨らむエアーバッグ内の空気を出し入れさせてエアーバッグを膨張又は収縮させて、使用者の背中をマッサージする機構をマッサージ器本体に採用してもよい。また線状の第１係合部４ａ、４ｂと第２係合部６ａ、６ｂを使用したが、線状でなくともよく、短冊状であってもよい。要は、これらの係合部の係合位置が前面２ａにおいて図１の上下方向に調整可能であったり、上面２ｂ（図２）の前後方向に調整可能であったり、後面２ｃの上下方向に調整可能であったりすればよい。
【００６１】
またこれらの係合部の係合位置は、前面２ａ、上面２ｂ、後面のいずれか、前面２ａと上面２ｂ、前面２ａと上面２ｂと後面２ｃでもよいが、確実に固定するために前面２ａから上面２ｂを経由して後面２ｃまで線状に複数延在している方がよいのは勿論である。
【００６２】
更にヘッドレストカバー４は、ヘッドレスト２に巻き付けて取り付けたが、頭部に被るヘルメットのようにヘッドレスト２の上に被せて専用の紐でくくりつけてもよい。更に、第１係合部４ａ、４ｂをマジックテープだけで構成してヘッドレストにくくりつけてもよい。
【符号の説明】
【００６３】
１  シートの背もたれ部
２  ヘッドレスト
３  取り付けステー
４  ヘッドレストカバー
４ａ、４ｂ  第１係合部
５  マッサージ器本体
６  カバー状連結部
６ａ、６ｂ  第２係合部
２ａ  ヘッドレストの前面
２ｂ  上面
【図１】
2016002131.tif 000003
【図２】
2016002131.tif 000004
【図３】
2016002131.tif 000005
【図４】
2016002131.tif 000006
【図５】
2016002131.tif 000007
【図６】
2016002131.tif 000008
【図７】
2016002131.tif 000009
【図８】
2016002131.tif 000010
【図９】
2016002131.tif 000011
【図１０】
2016002131.tif 000012
【図１１】
2016002131.tif 000013
【図１２】
2016002131.tif 000014
【図１３】
2016002131.tif 000015
【図１４】
2016002131.tif 000016